(57)【要約】【課題】中断することなくプレゼンテーションを継続できるプレゼンテーション装置を提供する。【解決手段】プレゼンテーション用書画データを作成し、格納する情報処理装置と、この情報処理装置から出力されるプレゼンテーション用書画信号を拡大投射する拡大投射装置からなるプレゼンテーション装置において、前記情報処理装置から出力されるプレゼンテーション用書画信号を１画面分記憶するものであり、前記情報処理装置からのアナログ信号のプレゼンテーション用書画信号をデジタルデータに変換するＡ／Ｄ変換部と、このＡ／Ｄ変換部からのデジタルデータを１画面分記憶するフレームメモリと、このフレームメモリからのデジタルデータをアナログ信号に変換するＤ／Ａ変換部と、これらＡ／Ｄ変換部、フレームメモリ、およびＤ／Ａ変換部を制御する制御部と、を有する記憶装置とからなるものである。【選択図】　　　　　図１
2004045920.tif 000002
【特許請求の範囲】
【請求項１】
プレゼンテーション用書画データを作成し、格納する情報処理装置と、この情報処理装置から出力されるプレゼンテーション用書画信号を拡大投射する拡大投射装置からなるプレゼンテーション装置において、
前記情報処理装置から出力されるプレゼンテーション用書画信号を１画面分記憶する記憶装置を介して前記拡大投射装置に入力することを特徴とするプレゼンテーション装置。
【請求項２】
前記記憶装置は操作者の操作に応じてプレゼンテーション用書画データを１画面分固定し、以降操作者から固定解除の操作があるまで固定し続けることを特徴とする請求項１記載のプレゼンテーション装置。
【請求項３】
前記記憶装置は前記情報処理装置からのアナログ信号のプレゼンテーション用書画信号をデジタルデータに変換するＡ／Ｄ変換部と、
このＡ／Ｄ変換部からのデジタルデータを１画面分記憶するフレームメモリと、
このフレームメモリからのデジタルデータをアナログ信号に変換するＤ／Ａ変換部と、
これらＡ／Ｄ変換部、フレームメモリ、およびＤ／Ａ変換部を制御する制御部と、
を有することを特徴とする請求項１記載のプレゼンテーション装置。
【発明の詳細な説明】
【０００１】
【発明の属する技術分野】
本発明は、パーソナルコンピュータ等の情報処理装置と液晶プロジェクタ等の拡大投射装置を使ったプレゼンテーション装置であって、特にプレゼンテーション用資料の追加や変更があった場合にプレゼンテーションを中断することなく継続できるプレゼンテーション装置に関するものである。
【０００２】
【従来の技術】
パーソナルコンピュータ等の情報処理装置を用いた液晶プロジェクタやオーバーヘッドプロジェクタなどの電子的なプレゼンテーション装置が公知である。通常、多く使用されるパーソナルコンピュータを用いたプレゼンテーション装置では、プレゼンテーション用ソフトウェアによって表示する内容を１ページごとに複数ページ作成し、それを順番に再生しながら表示する方式が一般的である。
【０００３】
この場合に、パーソナルコンピュータは、その内部に設けられたハードディスク装置等にあらかじめ作成しておいたプレゼンテーション用書画データが格納されたファイルの中の各ページを順序よく意図通りに読み出し、表示する書画データをアナログＲＧＢ信号として出力端子から出力する。この電子的なプレゼンテーション装置は従来のオーバーヘッドプロジェクタ用透明シートに印刷した内容をオーバーヘッドプロジェクタによって投射する方法と同様に、あらかじめ用意してある内容を表示することが可能である。しかし、プレゼンテーション中にその場で書き込みながら注目点を明らかにしていき、プレゼンテーションを進めていくという柔軟性に富んだプレゼンテーションを行うことはできない。
【０００４】
【発明が解決しようとする課題】
このように従来のプレゼンテーション装置においては、準備したプレゼンテーション用資料を使用して順々にプレゼンテーションを実行していく。
しかし、プレゼンテーションにおいてはプレゼンテーション用資料は常に準備されているわけではない。それに、準備した資料に基づいたプレゼンテーションでは、プレゼンテーションが準備したプレゼンテーション資料の範囲でのプレゼンテーションになり、平板なものとなり易い。
【０００５】
また、準備されているプレゼンテーション用資料に修正を加えたりしたい場合が出てくる。そのようなときプレゼンテーションをいったん中断しなければならないという欠点があった。
本発明は、上記課題を解決するためになされたもので、プレゼンテーションする書画データを必要な間表示し続けることでプレゼンテーションを中断することなくプレゼンテーションを継続することができるプレゼンテーション装置を提供することを目的とする。
【０００６】
【課題を解決するための手段】
本発明になるプレゼンテーション装置は、プレゼンテーション用書画データを作成し、格納する情報処理装置と、この情報処理装置から出力されるプレゼンテーション用書画信号を拡大投射する拡大投射装置からなるプレゼンテーション装置において、前記情報処理装置から出力されるプレゼンテーション用書画信号を１画面分記憶する記憶装置を介して前記拡大投射装置に入力することを特徴とするものである。
【０００７】
また、本発明になるプレゼンテーション装置に用いられる記憶装置は操作者の操作に応じてプレゼンテーション用書画データを１画面分固定し、以降操作者から固定解除の操作があるまで固定し続けることを特徴とするものである。
【０００８】
また、本発明になるプレゼンテーション装置に用いられる記憶装置は前記情報処理装置からのアナログ信号のプレゼンテーション用書画信号をデジタルデータに変換するＡ／Ｄ変換部と、このＡ／Ｄ変換部からのデジタルデータを１画面分記憶するフレームメモリと、このフレームメモリからのデジタルデータをアナログ信号に変換するＤ／Ａ変換部と、これらＡ／Ｄ変換部、フレームメモリ、およびＤ／Ａ変換部を制御する制御部と、を有することを特徴とするものである。
【０００９】
【作用】
本発明によれば、必要に応じて記憶装置にプレゼンテーションする書画データを記憶させ、この書画データを拡大投射装置で拡大投射するようにしたので、プレゼンテーション上はこの情報処理装置はプレゼンテーション装置から切り離された形となるから、プレゼンテータは記憶されたプレゼンテーション用書画データに基づいてプレゼンテーションを継続することができ、一方他の者がパーソナルコンピュータで所要の修正や追加をすることができるため、中断することなくプレゼンテーションを継続することが可能となる。
【００１０】
【発明の実施の形態】
以下、図を用いて本発明を詳しく説明する。
図１は本発明の１実施形態を示すプレゼンテーション装置の装置構成図、図２は図１の記憶装置の概要ブロック図である。
図１において、１はプレゼンテーション用資料を作成し、格納し、そしてプレゼンテーション用書画信号として出力する情報処理装置であるパーソナルコンピュータ、２はプレゼンテーション用書画信号を拡大投射する拡大投射装置である液晶プロジェクタである。
【００１１】
３はパーソナルコンピュータ１と液晶プロジェクタ２との間に挿入され、プレゼンテーション用資料を順序良く使用してプレゼンテーションしている場合は、パーソナルコンピュータ１からのプレゼンテーション用書画信号をそのまま通過させ、プレゼンテーション用書画信号に追加や編集が必要な場合は、その前のプレゼンテーション用書画信号を１画面分記憶する記憶装置である。
【００１２】
記憶装置３は主要なブロックとして、パーソナルコンピュータ１からのプレゼンテーション用書画信号であるアナログＲＧＢ信号をデジタル信号に変換するＡ／Ｄ変換部３１、Ａ／Ｄ変換部３１からのデジタルデータを１画面分記憶するフレームメモリ３２、フレームメモリ３２からのデジタルデータをアナログＲＧＢ信号であるプレゼンテーション用書画信号に変換するＤ／Ａ変換部３３、これらＡ／Ｄ変換部３１、フレームメモリ３２、およびＤ／Ａ変換部３３を制御する制御部３４からなる。
【００１３】
記憶装置３への電源の供給はパーソナルコンピュータ１のＵＳＢ（Ｕｎｉｖ−ｅｒｓａｌ　Ｓｅｒｉａｌ　Ｂｕｓ）を介して実現される。別途電源を必要としなくするためとパーソナルコンピュータ１の付属装置として性格を明確にするためである。また、記憶装置３へは所要のとき、１画面分のプレゼンテーション用書画データを保持するための画面更新禁止／許可指令を与える画面更新禁止／許可スイッチ（図示せず。）が設けられている。なお、通常は画面更新許可状態になっている。
【００１４】
制御部３４は前述したように、Ａ／Ｄ変換部３１、フレームメモリ３２、Ｄ／Ａ変換部３３を制御する。この制御は公知の制御方法を採用している。すなわち、プレゼンテーション用書画信号とともに送られてくる同期信号に同期した適宜の周波数のクロック信号を生成するとともに、フレームメモリ３２を制御するのに必要なアドレス信号や各種の制御信号を生成し、Ｄ／Ａ変換部に必要な同期信号やブランキング信号を生成し、これらの信号でもって記憶装置３を制御するのである。また、前述の画面更新禁止指令を受けたときにフレームメモリ３２への制御信号の中の書き込み制御信号の出力を停止し、フレームメモリ３２の更新を停止する。
【００１５】
次に、本発明になるプレゼンテーション装置を使用したプレゼンテーションについて説明する。
本発明のプレゼンテーション装置を有効に使用するにはパーソナルコンピュータ１を操作して、プレゼンテーション用資料を順序良く出力して液晶プロジェクタ２で拡大投射する者と拡大投射されたプレゼンテーション用資料に基づいてプレゼンテーションを行う者が必要である。
【００１６】
図３は本発明のプレゼンテーション装置を使用したプレゼンテーションの様子を示すフローチャート図である。以下、図３に基づいて説明する。
まず、準備したプレゼンテーション用資料を基にプレゼンテーションを開始する（ステップ１０１、以下、Ｓ１０１と略称する）。準備したプレゼンテーション用資料を基にプレゼンテーションを続けていくうちに、追加資料が出てきたり、資料に何らかの修正が必要になってくる編集作業の要否を考慮する必要が出てくる（Ｓ１０２）。
【００１７】
ここで、編集作業が不要な場合は、そのままプレゼンテーションを継続する（Ｓ１０８）。反対に、編集作業が必要な場合は、プレゼンテータは前述した画面更新禁止／許可指令を与える画面更新禁止／許可スイッチを操作し、フレームメモリ３２の更新を禁止し、そのときのプレゼンテーション用書画データをそのまま保持し、液晶プロジェクタ２で拡大投射し続ける（Ｓ１０３）。そして、その書画データを基にプレゼンテーションを続ける。その間にパーソナルコンピュータ１を操作してプレゼンテーション用資料を順序良く提示していた者は、追加資料を作成したり、資料の修正を実行する（Ｓ１０４）。この状態は編集作業が終了するまで継続される（Ｓ１０５）。
【００１８】
編集作業が終了したとき、プレゼンテータは前述した画面更新禁止／許可スイッチを操作し、画面更新許可指令を出力する（Ｓ１０６）。このことにより、フレームメモリ３２への書き込み制御信号が再度出力され、フレームメモリ３２が毎フレーム更新されるようになるので新しいプレゼンテーション用書画データが液晶プロジェクタ２を介して拡大投射される（Ｓ１０７）。こうして表示されたプレゼンテーション用書画データを基にしてプレゼンテーションを継続する（Ｓ１０８）。
【００１９】
以上説明したように、プレゼンテーション用書画データの編集が必要になったときは、そのとき拡大投射していたプレゼンテーション用書画データをそのまま投射し続けながらプレゼンテーションを継続し、その間に編集作業をするので、プレゼンテーションが中断されることがない。
【００２０】
【発明の効果】
本発明によれば、以上説明したように、プレゼンテーション用書画データの編集が必要になったときは、画面更新禁止／許可スイッチを操作して、その時拡大投射していたプレゼンテーション用書画データをそのまま投射し続けることができるようにしたので、その書画データを基にプレゼンテーションしている間に所要のプレゼンテーション用書画データの編集が可能となるのでプレゼンテーションを中断することのないプレゼンテーション装置を提供できる。したがって、急に開催される会議やその場でプレゼンテーション用書画データを編集しなければならない場合でもスムーズでスマートなプレゼンテーションが可能なプレゼンテーション装置を提供することができる。
【図面の簡単な説明】
【図１】図１は本発明の１実施の形態を示すプレゼンテーション装置の装置構成図である。
【図２】本発明になるプレゼンテーション装置の構成要素である記憶装置の概要ブロック図である。
【図３】本発明のプレゼンテーション装置を使用したプレゼンテーションの様子を示すフローチャート図である。
【符号の説明】
１　パーソナルコンピュータ
２　液晶プロジェクタ
３　記憶装置
３１　Ａ／Ｄ変換器
３２　フレームメモリ
３３　Ｄ／Ａ変換器
３４　制御部
【図１】
2004045920.tif 000003
【図２】
2004045920.tif 000004
【図３】
2004045920.tif 000005